(57)【要約】計測装置１０は、計測対象の状態を検出するセンサ１１と、センサ１１の結果を出力する複数の出力線Ｌと、センサ１１の検出結果に基づいて複数の出力線Ｌに電圧を印加する制御部１２とを備える。制御部１２は、自己の故障診断を行い、故障診断の結果を複数の出力線Ｌに印加される電圧の組み合わせによって出力する。
2017135211.tif 000002
【特許請求の範囲】
【請求項１】
計測対象の状態を検出する検出部と、
前記検出部の結果を出力する複数の出力線と、
前記検出部の検出結果に基づいて前記複数の出力線に電圧を印加する制御部と、を備え、
前記制御部は、自己の故障診断を行い、前記故障診断の結果を前記複数の出力線に印加される電圧の組み合わせによって出力する
計測装置。
【請求項２】
前記電圧の組み合わせは、通常の計測時の検出範囲外の値の組み合わせである
請求項１に記載の計測装置。
【請求項３】
前記電圧の組み合わせは、前記出力線のそれぞれの最低値と最高値との組み合わせである
請求項１又は２に記載の計測装置。
【請求項４】
前記検出部は、計測対象の色を検出するものであって、
前記複数の出力線には、前記検出部が検出した色情報である三原色それぞれに対応する
請求項１〜３のいずれか一項に記載の計測装置。
【発明の詳細な説明】
【技術分野】
【０００１】
本発明は、計測装置に関する。
【背景技術】
【０００２】
従来、圧力センサに自己診断機能を備えたものがある（例えば、特許文献１参照）。特許文献１に記載の自己診断機能では、測定媒体を圧力検出素子に導入する導入経路の共鳴周波数が所定の周波数の範囲外である場合、導入経路に異物が付着していると判定する自己診断を行う診断手段を備えている。
【先行技術文献】
【特許文献】
【０００３】
【特許文献１】特開２０１５−１６１６０１号
【発明の概要】
【発明が解決しようとする課題】
【０００４】
ところで、上記特許文献１に記載の自己診断機能では、圧力信号とは別に圧力センサの自己診断結果を外部に伝達するための信号線が設けられているため、配線の手間がかかる。更に、上記特許文献１のように接点信号で自己診断結果を外部に伝達する場合は、伝達する内容の種類に応じて信号線を増やす必要があるため、より配線の手間がかかる他、配線の分だけセンサが大きくなってしまう。なお、接点信号の代わりに自己診断結果を重畳（例えば時分割または周波数分割）させた信号によって伝達することも可能であるが、この場合であっても信号線は必要となる。更に圧力信号を伝達するための信号線に自己診断結果を重畳させることも考えられるが、圧力信号としてアナログ信号を伝達する場合は、重畳させた自己診断結果を示す信号がノイズ成分となるため、圧力信号が正確に伝わらないという問題がある。【０００５】
本発明は、こうした実情に鑑みてなされたものであり、その目的は、複数の故障診断結果をセンサ信号に悪影響を与えることなく出力することのできる計測装置を提供することにある。
【課題を解決するための手段】
【０００６】
以下、上記課題を解決するための手段及びその作用効果について説明する。
上記課題を解決する計測装置は、計測対象の状態を検出する検出部と、前記検出部の結果を出力する複数の出力線と、前記検出部の検出結果に基づいて前記複数の出力線に電圧を印加する制御部と、を備え、前記制御部は、自己の故障診断を行い、前記故障診断の結果を前記複数の出力線に印加される電圧の組み合わせによって出力することをその要旨としている。【０００７】
上記構成によれば、複数の出力線に印加される電圧の組み合わせによって故障診断結果を出力することができるので、故障診断結果を出力するための信号線を設けることなく、複数の故障診断結果を出力することができる。【０００８】
上記計測装置について、前記電圧の組み合わせは、通常の計測時の検出範囲外の値の組み合わせであることが好ましい。
上記構成によれば、普段利用しない値を利用することによって、故障診断結果を出力することができるので、故障診断結果を出力するための信号線を増やすことなく故障診断結果を出力することができる。【０００９】
上記計測装置について、前記電圧の組み合わせは、前記出力線のそれぞれの最低値と最高値との組み合わせであることが好ましい。
上記構成によれば、出力線のそれぞれの最低値と最高値との組み合わせを電圧の組み合わせとするので、２の出力線の数量乗の組み合わせだけ、故障診断の結果を出力することができる。【００１０】
上記計測装置について、前記検出部は、計測対象の色を検出するものであって、前記複数の出力線には、前記検出部が検出した色情報である三原色それぞれに対応することが好ましい。【００１１】
上記構成によれば、出力線が色情報をそれぞれ出力するための配線であるので、故障診断の結果を出力するために新たに配線を設けずに済む。
【発明の効果】
【００１２】
本発明によれば、複数の故障診断結果をセンサ信号に悪影響を与えることなく出力することができる。本発明の他の形態及び利点は本発明の技術的思想の例を示している図面と共に以下の記載から明らかとなる。
【図面の簡単な説明】
【００１３】
【図１】計測装置を有する計測システムの一実施形態の概略構成を示すブロック図。
【図２】同実施形態の計測装置の構成を示すブロック図。
【図３】同実施形態の計測装置による通常計測時の電圧の出力を示す図。
【図４】同実施形態の計測装置による診断結果出力時の電圧の出力を示す図。
【図５】同実施形態の計測装置による電圧の組み合わせを示す図。
【図６】同実施形態の計測装置の処理を示すシーケンスチャート。
【図７】同実施形態の計測装置の計測結果を表示する携帯端末の一例を示す図。
【発明を実施するための形態】
【００１４】
以下、図１〜図７を参照して、計測システムに備えられた計測装置の一実施形態について説明する。
図１に示すように、計測システムは、計測対象の状態を計測する計測装置１０と、携帯電話網や公衆無線ＬＡＮ等の公衆通信網や工場内ＬＡＮや工場間ＷＡＮ（Ｗｉｄｅ  Ａｒｅａ  Ｎｅｔｗｏｒｋ）等のプライベートな通信網等のネットワークＮＷに接続することで、計測装置１０と接続するデータベースサーバ５０とを備えている。データベースサーバ５０は、データベース５１を備えている。データベースサーバ５０には、複数の計測装置１０がネットワークＮＷを介して接続される。
【００１５】
計測装置１０は、計測対象の状態を検出する検出部としてのセンサ１１と、センサ１１を制御する制御部１２と、近距離無線通信（例えば、ＮＦＣ：Ｎｅａｒ  Ｆｉｅｌｄ  Ｃｏｍｍｕｎｉｃａｔｉｏｎ）を行うことができるＮＦＣ１３とを備えている。センサ１１は、計測対象の状態を検出することで得た信号を制御部１２に出力する。センサ１１は、色センサであって、計測対象の色と温度を制御部１２に出力する。ＮＦＣ１３は、近距離無線通信が可能な機器と近距離無線通信によって通信可能である。なお、近距離無線としては、通信距離が１０ｃｍ程度のＮＦＣの他、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ）、特定小電力無線、微弱無線などを用いることができる。ＮＦＣ１３は、通信対象が保持する固有の情報（ＩＤやパスワード等）に基づき、近距離無線通信を許可するか否かの認証（端末認証）を行い、端末認証が成立すると、通信対象と情報の送受信を実行する。
【００１６】
制御部１２は、計測対象の状態を計測する計測部２１と、計測装置１０の故障診断を行う診断部２２とを備えている。計測部２１は、センサ１１から入力された信号を計測値に変換する。診断部２２は、各種診断を行い、その診断結果を出力する。制御部１２は、記憶部としてのメモリ２３を備えている。制御部１２は、メモリ２３に記憶されたプログラムやパラメータに基づいて演算処理することにより制御を行うことができる。計測部２１は、メモリ２３に記憶された計測対象の状態を計測するための計測プログラムによって計測を行う。診断部２２は、診断プログラムによって診断を行い、診断結果パターンに基づいて診断結果の出力を行う。メモリ２３には、診断プログラムと、診断結果パターンとが記憶されている。また、計測部２１は、計測情報として計測値をメモリ２３に記憶させる。
【００１７】
計測装置１０は、ゲートウェイ３０を介してネットワークＮＷに接続する。ゲートウェイ３０は、プロトコルの異なるネットワーク同士を接続させる。例えば公衆通信網として携帯電話回線網に接続する無線通信規格を用いてネットワークＮＷに接続する。ゲートウェイ３０は、制御部１２と機械的に接離可能である。ゲートウェイ３０は、ネットワークＮＷを介してデータベースサーバ５０と接続する。
【００１８】
計測システムは、近距離無線通信が可能である携帯端末６０とメンテナンスカード７０とを備えている。携帯端末６０は、近距離無線通信機能を備えた例えばスマートフォンや、タブレット端末、携帯電話、パーソナルコンピュータ等である。メンテナンスカード７０は、近距離無線通信機能を有したカードである。
【００１９】
携帯端末６０は、ＮＦＣ１３と近距離無線通信を行い、端末認証が成立すると、計測装置１０から計測結果を取得したり、計測装置の設定を変更したり、計測装置の情報を更新したりする。携帯端末６０には、近距離無線通信を介して計測装置１０を制御するためのプログラムが予め記憶されている。
【００２０】
メンテナンスカード７０は、ＮＦＣ１３と端末認証を行い、端末認証が成立すると、カード毎に記憶された特定の処理を計測装置１０に実行させることができる。メンテナンスカード７０は、自己診断を行わせる自己診断要求を有した自己診断カードが含まれている。
【００２１】
データベースサーバ５０は、データベース５１に計測装置１０からネットワークＮＷを介して取得した計測結果を蓄積している。データベースサーバ５０は、蓄積された計測結果をユーザからの要求に応じて、ネットワークＮＷを介して提供する。また、データベースサーバ５０は、ネットワークＮＷを介してゲートウェイ３０とインターネット認証を行う。データベースサーバ５０と計測装置１０とは、パスワードによって認証を行い、認証が成立することを条件に、計測結果等の情報を取得している。また、データベースサーバ５０と携帯端末６０とも、パスワードによって認証を行い、認証が成立することを条件に、計測結果等の情報を提供している。
【００２２】
次に、制御部１２の内部構成について説明する。
図２に示すように、制御部１２の計測部２１は、センサ１１と接続されるとともに、ゲートウェイ３０と複数の出力線Ｌによって接続されている。計測部２１とゲートウェイ３０との間の複数の出力線Ｌは、色情報であるＲ値、Ｇ値、Ｂ値の値に相当する電圧を出力する３本と、温度の値に相当する電圧を出力する１本とを備えている。すなわち、計測部２１は、色情報と温度情報をアナログの電圧に置き換えてゲートウェイ３０に出力している。なお、Ｒ値、Ｇ値、Ｂ値は三原色の値である。
【００２３】
また、制御部１２の診断部２２は、計測部２１とゲートウェイ３０との間の各出力線Ｌに接続される複数の接続線Ｃを備えている。出力線Ｌと接続線Ｃとの接続部分には、接続線Ｃからの入力があるときは、接続線Ｃの電圧がゲートウェイ３０に出力されるようになっている。例えば、出力線Ｌと接続線Ｃとの接続部分にはマルチプレクサが設けられている。診断部２２は、計測装置１０の診断を実施した後に診断結果に相当する電圧を、各接続線Ｃを介して各出力線Ｌに出力する。
【００２４】
図３に示すように、計測装置１０からゲートウェイ３０に接続される出力線Ｌは、色情報を出力する第１出力線Ｌ１、第２出力線Ｌ２、第３出力線Ｌ３と、温度を出力する第４出力線Ｌ４の４本ある。そして、センサ１１の計測結果を出力する通常計測時には、色情報を出力する第１出力線Ｌ１、第２出力線Ｌ２、第３出力線Ｌ３に、色情報のＲ値、Ｇ値、Ｂ値に相当する電圧として０．５Ｖ〜３．５Ｖのアナログの電圧が印加される。また、通常計測時には、温度を出力する第４出力線Ｌ４に、温度に相当する電圧として１．０Ｖ〜２．０Ｖのアナログの電圧が印加される。
【００２５】
図４に示すように、計測装置１０の診断結果を出力する診断結果出力時には、色情報を出力する第１出力線Ｌ１、第２出力線Ｌ２、第３出力線Ｌ３に、色情報のＲ値、Ｇ値、Ｂ値に関係なく、０Ｖ又は５Ｖの電圧が選択して印加される。また、診断結果出力時には、温度を出力する第４出力線Ｌ４に、温度に関係なく０Ｖ又は５Ｖの電圧が選択して印加される。ここで、診断結果出力時に選択される電圧である０Ｖと５Ｖとは、通常計測時に出力される電圧値（０．５Ｖ〜３．５Ｖ、１．０Ｖ〜２．０Ｖ）の範囲外の値となっている。すなわち、診断結果出力時の電圧の組み合わせは、通常計測時の検出範囲外の値の組み合わせである。また、診断結果出力時の選択される電圧である０Ｖは出力線Ｌの最低値であって、診断結果出力時の選択される電圧である５Ｖは出力線Ｌの最高値である。
【００２６】
図５に示すように、計測装置１０による診断結果を示す電圧の組み合わせは、出力線Ｌが４本で、それぞれの電圧が２値なので、２の４乗となり１６種類ある。このため、計測装置１０からゲートウェイ３０には１６種類の診断結果を出力することができる。電圧の組み合わせが示す計測装置１０の状態は予め設定されている。メモリ２３には、この診断結果を示す電圧の組み合わせである診断結果パターンが記憶されている。
【００２７】
例えば、全部の出力線Ｌ１，Ｌ２，Ｌ３，Ｌ４に０Ｖを印加した１番目の電圧の組み合わせは、異常なしを示している。第１出力線Ｌ１、第２出力線Ｌ２、第３出力線Ｌ３に０Ｖを印加し、第４出力線Ｌ４に５Ｖを印加する２番目の電圧の組み合わせは、温度出力回路異常を示している。第１出力線Ｌ１、第２出力線Ｌ２、第４出力線Ｌ４に０Ｖを印加し、第３出力線Ｌ３に５Ｖを印加する３番目の電圧の組み合わせは、色情報のＢ出力回路異常を示している。第１出力線Ｌ１、第２出力線Ｌ２に０Ｖを印加し、第３出力線Ｌ３、第４出力線Ｌ４に５Ｖを印加する４番目の電圧の組み合わせは、ＬＥＤ異常を示している。第１出力線Ｌ１、第３出力線Ｌ３、第４出力線Ｌ４に０Ｖを印加し、第２出力線Ｌ２に５Ｖを印加する５番目の電圧の組み合わせは、色情報のＧ出力回路異常を示している。第１出力線Ｌ１、第３出力線Ｌ３に０Ｖを印加し、第２出力線Ｌ２、第４出力線Ｌ４に５Ｖを印加する６番目の電圧の組み合わせは、電源異常を示している。第１出力線Ｌ１、第４出力線Ｌ４に０Ｖを印加し、第２出力線Ｌ２、第３出力線Ｌ３に５Ｖを印加する７番目の電圧の組み合わせは、フォトダイオード異常を示している。第１出力線Ｌ１に０Ｖを印加し、第２出力線Ｌ２、第３出力線Ｌ３、第４出力線Ｌ４に５Ｖを印加する８番目の電圧の組み合わせは、温度センサ異常を示している。第２出力線Ｌ２、第３出力線Ｌ３、第４出力線Ｌ４に０Ｖを印加し、第１出力線Ｌ１に５Ｖを印加する９番目の電圧の組み合わせは、色情報のＲ出力回路異常を示している。第２出力線Ｌ２、第３出力線Ｌ３に０Ｖを印加し、第１出力線Ｌ１、第４出力線Ｌ４に５Ｖを印加する１０番目の電圧の組み合わせは、使用温度異常を示している。第２出力線Ｌ２、第４出力線Ｌ４に０Ｖを印加し、第１出力線Ｌ１、第３出力線Ｌ３に５Ｖを印加する１１番目の電圧の組み合わせは、筐体内部オイル侵入異常を示している。第２出力線Ｌ２に０Ｖを印加し、第１出力線Ｌ１、第３出力線Ｌ３、第４出力線Ｌ４に５Ｖを印加する１２番目の電圧の組み合わせは、ＬＥＤ光量低下（寿命）を示している。１３番目から１６番目の電圧の組み合わせは、本実施例では故障状態を割り当てていないが、任意の内容を割り当てることが可能である。
【００２８】
次に、図６を併せて参照して、上記のように構成された計測装置の動作について説明する。
メンテナンスカード７０による故障診断について説明する。
【００２９】
図５に示すように、メンテナンスカード７０が計測装置１０に近づけられると（ステップＳ１０）、メンテナンスカード７０と計測装置１０とは、ＮＦＣ通信を行う（ステップＳ１１，Ｓ１２）。すなわち、メンテナンスカード７０は、近距離無線通信によって端末認証を行い、計測装置１０と通信できる正規のカードであるか否かを確認する。
【００３０】
そして、メンテナンスカード７０は、端末認証が成立すると（ステップＳ１３）、カード情報を計測装置１０に送信する（ステップＳ１４）。すなわち、メンテナンスカード７０に記憶されているカード情報が読み出されて、カード情報を近距離無線通信によってＮＦＣ１３から制御部１２に送信される。メンテナンスカード７０が故障診断カードであるので、カード情報として故障診断要求が近距離無線通信によって計測装置１０に送信される。
【００３１】
続いて、計測装置１０は、メンテナンスカード７０からカード情報を近距離無線通信によって受信すると、カード情報に基づいて故障診断処理を行う（ステップＳ１５）。すなわち、ＮＦＣ１３は、メンテナンスカード７０から取得したカード情報に含まれた故障診断処理を制御部１２が実行する。故障診断は、温度出力回路、色情報出力回路、ＬＥＤ、電源、フォトダイオード、温度センサ等に異常がないか確認するとともに、使用温度、オイル侵入、ＬＥＤの寿命等について確認する。
【００３２】
続いて、計測装置１０は、故障診断処理によって得た故障診断の結果パターンを選択する（ステップＳ１６）。すなわち、診断部２２は、故障診断を行うことで得られた結果を１番目〜１２番目のパターンから選択する。そして、計測装置１０は、選択した結果パターンの電圧を出力する（ステップＳ１７）。すなわち、診断部２２は、選択した結果パターンの電圧となるように接続線Ｃに電圧を印加して出力線Ｌに診断結果の電圧の組み合わせを出力する。計測装置１０は、故障診断を行い、診断結果を出力すると、通常の計測処理を実行する（ステップＳ１８）。
【００３３】
続いて、ゲートウェイ３０は、計測装置１０から出力線Ｌを介して電圧の組み合わせが出力されると、この電圧の組み合わせによって故障診断結果を取得する（ステップＳ１９）。すなわち、ゲートウェイ３０は、通常計測時に出力される電圧とは異なる値の電圧が入力されるので、故障診断結果であることを認識することができるとともに、その電圧の組み合わせによって故障の状態を把握することができる。そして、ゲートウェイ３０は、電圧の組み合わせから故障診断結果を把握すると、この故障診断結果を出力する（ステップＳ２０）。すなわち、ゲートウェイ３０がネットワークＮＷに故障診断結果を出力することで、ネットワークＮＷに接続しているデータベースサーバ５０に故障診断結果を蓄積したり、ネットワークＮＷに接続している携帯端末６０によって診断結果を確認したりすることができる。
【００３４】
このように、計測装置１０からゲートウェイ３０に対して電圧の組み合わせによって故障診断の結果が出力されるので、故障診断結果を出力するための信号線を設けることなく、複数の故障診断結果を出力することができる。
【００３５】
次に、表示装置を備えた携帯端末６０について説明する。
図７に示すように、携帯端末６０は、検出結果を表示する表示部６１を備えている。表示部６１は、センサ１１が検出した計測対象の色をカラーマップに表示する。すなわち、表示部６１に表示されたカラーマップ上に計測対象の色が表示されるので、ユーザが直観的に計測対象の状態を認識することができる。
【００３６】
また、表示部６１は、操作を検出可能である。そして、表示部６１は、センサ１１が検出した計測対象の色のキャリブレーションをカラーマップによって表示するとともに、キャリブレーション条件を表示して、ユーザが選択することができる。よって、ユーザが直観的に計測対象の状態を認識できるように選択することができる。
【００３７】
以上説明したように、本実施形態によれば、以下の効果を奏することができる。
（１）複数の出力線Ｌに印加される電圧の組み合わせによって故障診断結果を出力することができるので、故障診断結果を出力するための信号線を設けることなく、複数の故障診断結果を出力することができる。
【００３８】
（２）普段利用しない値を利用することによって、故障診断結果を出力することができるので、故障診断結果を出力するための信号線を増やすことなく故障診断結果を出力することができる。
【００３９】
（３）出力線Ｌのそれぞれの最低値（０Ｖ）と最高値（５Ｖ）との組み合わせを電圧の組み合わせとするので、２の出力線の数量（４）乗の組み合わせ（１６種類）だけ、故障診断の結果を出力することができる。
【００４０】
（４）出力線Ｌが色情報をそれぞれ出力するための配線であるので、故障診断の結果を出力するために新たに配線を設けずに済む。
（５）センサ１１が検出した計測対象の色を携帯端末６０の表示部６１がカラーマップに表示するので、ユーザが直観的に計測対象の状態を認識することができる。
【００４１】
（６）センサ１１が検出した計測対象の色のキャリブレーションを携帯端末６０の表示部６１がカラーマップに表示してユーザが選択することができるので、ユーザが直観的に計測対象の状態を認識することができる。
【００４２】
なお、上記実施形態は、これを適宜変更した以下の形態にて実施することもできる。
・上記実施形態では、携帯端末６０の表示部６１において、センサ１１が検出した計測対象の色をカラーマップとともに、キャリブレーション条件を表示して、キャリブレーション条件を選択することができる。しかしながら、キャリブレーション条件の選択を省略してもよい。
【００４３】
・上記実施形態では、携帯端末６０の表示部６１において、センサ１１が検出した計測対象の色をカラーマップに表示したが、カラーマップによる表示を省略してもよい。
・上記実施形態では、計測装置１０からゲートウェイ３０に色情報とともに温度情報を出力したが、温度情報を省略して、計測装置１０からゲートウェイ３０への出力線Ｌを３本としてもよい。このようにした場合は、電圧の組み合わせは２の３乗となり８種類の診断結果を出力することができる。
【００４４】
・上記実施形態では、センサ１１として色センサを採用したが、色センサに限らず、複数の出力線を有するセンサであれば、同様に出力線の電圧の組み合わせによって故障診断結果を出力することができる。
【００４５】
・上記実施形態では、診断結果出力時に選択される電圧を、通常計測時に出力される電圧の範囲外の値としたが、故障診断結果の電圧であることが判定できるならば、通常計測時に出力される電圧の範囲内の値としてもよい。
【００４６】
・上記実施形態では、診断結果出力時の選択される電圧が出力線Ｌの最低値と最高値としたが、故障診断結果の電圧であることが判定できるならば、出力線Ｌの最低値と最高値以外の値としてもよい。
【００４７】
・上記実施形態では、診断結果の出力時に、各出力線Ｌのとりうる電圧を２値（０Ｖ、５Ｖ）としたが、複数種の電圧を設定してもよい。このようにすれば、電圧の設定値の数量をＶとし、出力線の数量をＮとすると、ＶのＮ乗種類の診断結果を出力することができる。
【００４８】
・上記実施形態では、携帯端末６０とメンテナンスカード７０との両方を計測システムが備えたが、携帯端末６０とメンテナンスカード７０とのいずれか一方のみを計測システムが備えてもよい。
【００４９】
・上記実施形態では、計測装置１０の更新情報を有する携帯端末６０又はメンテナンスカード７０が計測装置１０と端末認証を行い、端末認証が成立したことを条件として計測装置１０の情報を更新した。しかしながら、携帯端末６０又はメンテナンスカード７０を使用することで、セキュリティが確保できるならば、端末認証を省略してもよい。
【００５０】
・上記各実施形態では、計測装置１０の計測結果をデータベースサーバ５０に蓄積したが、データベースサーバ５０を省略して、計測装置１０から携帯端末等によって計測結果を直接取得するようにしてもよい。
【００５１】
・上記各実施形態では、メンテナンスカード７０に基づいて故障診断処理を行ったが、これに限らず、通常の計測と並行して故障診断処理を実行しても構わない。この場合、異常がある場合のみ、出力線Ｌ１，Ｌ２，Ｌ３，Ｌ４に自己診断結果を示す電圧が出力され、異常がない場合は、色情報等を示す電圧が出力されるように構成される。
【００５２】
計測装置１０は、計測部２１及び診断部２２として機能する一つまたは複数のプロセッサを備えることができる。例えば、計測部２１及び診断部２２はそれぞれ計測プロセッサ及び診断プロセッサであってよい。計測装置１０は、メモリ２３に代えてまたはメモリ２３に加えて、当該一つまたは複数のプロセッサによって実行される命令またはコンピュータプログラムを格納した非一時的なコンピュータ可読記憶媒体を備えることができる。当該記憶媒体は、限定ではないが、不揮発性メモリ、磁気ディスクを含む磁気ディスク装置、光学ディスクを含む光学ディスク装置等であってよい。
【００５３】
本開示は以下の実装例を包含する。限定ではなく理解の補助のために、図示した実施形態の参照符号を付した。
本発明の一以上の実装例では、計測装置（１０）は、計測対象の状態を検出する検出部（１１）と、自己故障診断を行う制御部（１２）と、前記検出部（１１）によって検出された前記計測対象の状態及び前記自己故障診断の結果を、前記制御部（１２）から前記計測装置（１０）の外部に出力するための複数の出力線（Ｌ１〜Ｌ４）とを備え、前記制御部（１２）は、前記検出部（１１）によって検出された前記計測対象の状態に対応する複数の検出電圧値のセットであって、前記複数の検出電圧値の各々が第１電圧値から第２電圧値までの所定範囲にある前記複数の検出電圧値のセットを生成し、生成した前記複数の検出電圧値を複数の出力線（Ｌ１〜Ｌ４）にそれぞれ印加し、前記故障診断の結果に対応する複数の故障診断電圧値のセットであって、前記複数の故障診断電圧値の少なくとも１つが前記所定範囲とは異なる第３電圧値（０Ｖまたは５Ｖ）である前記複数の故障診断電圧値のセットを生成し、生成した前記複数の故障診断電圧値を前記複数の出力線（Ｌ１〜Ｌ４）にそれぞれ印加するように構成された一または複数のプロセッサ（２１ａ，２２ａ）を備える。
【００５４】
いくつかの実装例では、前記複数の故障診断電圧値の各々が前記所定範囲外である。
本発明がその技術的思想から逸脱しない範囲で他の特有の形態で具体化されてもよいということは当業者にとって明らかであろう。例えば、実施形態（あるいはその１つ又は複数の態様）において説明した部品のうちの一部を省略したり、いくつかの部品を組合せてもよい。本発明の範囲は、添付の請求の範囲を参照して、請求の範囲が権利を与えられる均等物の全範囲と共に確定されるべきである。
【符号の説明】
【００５５】
１０…計測装置、１１…センサ、１２…制御部、１３…ＮＦＣ、２１…計測部、２２…診断部、２３…メモリ、３０…ゲートウェイ、５０…データベースサーバ、５１…データベース、６０…携帯端末、６１…表示部、７０…メンテナンスカード、ＮＷ…ネットワーク。
【図１】
2017135211.tif 000003
【図２】
2017135211.tif 000004
【図３】
2017135211.tif 000005
【図４】
2017135211.tif 000006
【図５】
2017135211.tif 000007
【図６】
2017135211.tif 000008
【図７】
2017135211.tif 000009
【国際調査報告】
2017135211.tif 000010
2017135211.tif 000011
2017135211.tif 000012
2017135211.tif 000013